【手続補正書】
【提出日】平成15年8月29日(2003.8.29)
【手続補正１】
【補正対象書類名】明細書
【補正対象項目名】全文
【補正方法】変更
【補正の内容】
【発明の名称】ボタン掛け具
【特許請求の範囲】
【請求項１】前方部分と後方部分とを有し、前記前方部分には一方向へ直線的に長く延びたボタン案内孔を有するボタン保持部が形成され、前記後方部分には取っ手部が形成され、前記案内孔が前記取っ手部寄りに位置し前記一方向と直交する方向の幅が広い第１案内孔と、前記第１案内孔につながるように形成されていて前記第１案内孔の前方に位置し前記第１案内孔よりも前記幅が狭い第２案内孔とを有するボタン掛け具において、
前記取っ手部が前記一方向と斜めに交差して前記ボタン保持部から後方へ延びていることを特徴とする前記ボタン掛け具。
【請求項２】前記取っ手部が湾曲しながら前記後方へ延びている請求項１記載のボタン掛け具。
【請求項３】前記取っ手部が前記ボタン保持部から前記後方へ向かうにつれて次第に幅が広くなる請求項１または２記載のボタン掛け具。
【請求項４】前記第１案内孔と前記第２案内孔との間に、これら両案内孔につながり、かつ、前記第１案内孔よりも幅が狭く、前記第２案内孔よりも幅が広い案内孔が少なくとも一つ介在している請求項１〜３のいずれかに記載のボタン掛け具。
【発明の詳細な説明】
【０００１】
【発明の属する技術分野】
この発明は、ズボン等の衣服に取り付けられたボタンをボタンホールに掛けるための用具に関する。
【０００２】
【従来の技術】
特開２００１−１６１５３９公報には、デニム製ズボン等の衣服に取り付けられたボタンをボタンホールに速やかに掛けるためのボタン掛け具が開示されている。デニムやジーンズ等の厚くて、堅い生地からなるズボンやジャケットの製造現場では、そうした掛け具が不可欠である。
【０００３】
【発明が解決しようとする課題】
前記公知のボタン掛け具は、その長さ方向に直状を成すものであり、この発明は、そのようなボタン掛け具で経験される使い難さの解消を課題にしている。
【０００４】
【課題を解決するための手段】
前記課題解決のために、この発明が対象とするのは、前方部分と後方部分とを有し、前記前方部分には一方向へ直線的に長く延びたボタン案内孔を有するボタン保持部が形成され、前記後方部分には取っ手部が形成され、前記案内孔が前記取っ手部寄りに位置し前記一方向と直交する方向の幅が広い第１案内孔と、前記第１案内孔につながるように形成されていて前記第１案内孔の前方に位置し前記第１案内孔よりも前記幅が狭い第２案内孔とを有するボタン掛け具である。
【０００５】
かかるボタン掛け具において、この発明が特徴とするところは、前記取っ手部が前記一方向と斜めに交差して前記ボタン保持部から後方へ延びていること、にある。
【０００６】
かかる発明には、次のような好ましい実施態様がある。
（１）前記取っ手部が湾曲しながら前記後方へ延びている。
（２）前記取っ手部が前記保持部から前記後方へ向かうにつれて幅が次第に広くなる。
（３）前記第１案内孔と前記第２案内孔との間に、これら両案内孔につながり、かつ、前記第１案内孔よりも幅が狭く、前記第２案内孔よりも幅が広い案内孔が少なくとも一つ介在している。
【０００７】
【発明の実施の形態】
添付の図面を参照し、この発明に係るボタン掛け具の詳細を説明すると、以下のとおりである。
【０００８】
図１、２は、ボタン掛け具１の平面図と同図のＩＩ−ＩＩ線断面図である。ボタン掛け具１は、金属やプラスチックなどからなるもので、前方部分にボタン保持部３を有し、後方部分に取っ手部４を有する。ボタン保持部３には水平線Ｃ−Ｃに沿って図の横方向へ長く延びる案内孔６が形成されており、この案内孔６は、取っ手部４寄りに位置していて水平線Ｃ−Ｃと直交する方向の幅Ａが広い第１案内孔７と、第１案内孔７につながっていて保持部３の前方寄りに位置し、幅Ｂが第１案内孔７の幅Ａよりも狭い第２案内孔８とからなる。水平線Ｃ−Ｃは、各案内孔７，８の幅Ａ，Ｂを二等分する中心線でもあり、これら案内孔７，８は、水平線Ｃ−Ｃに平行して延びる直状内縁部７ａ，７ｂ、８ａ，８ｂと、これら直状内縁部７ａと７ｂ、８ａと８ｂの間に延びる弧状内縁部７ｃ、８ｃとを有する。案内孔６は、第１案内孔７と第２案内孔８とがつながる中間部分９において幅が第２案内孔８に向かって次第に小さくなる。第２案内孔８の弧状内縁部８ｃは、ボタン掛け具１の前端部分１５でもあって、この前端部分１５では図示の如く弧が閉じている。ただし、前端部分１５は、図に示された２本の鎖線ＬとＬとの間を切り欠いて、弧の一部分を開いておくことができる。図１，２では、第１案内孔７に掛けられた第１ボタン１１（図４参照）と第２案内孔８に掛けられた第２ボタン１２（図４参照）とが仮想線で示されている。
【０００９】
ボタン掛け具１の後方部分に形成される取っ手部４は、水平線Ｃ−Ｃと斜めに交差してボタン掛け具１の後方へ、好ましくは図１の下方ヘ向かって凸となるように湾曲しながら延びている。取っ手部４は、さらに好ましくは、保持部３からボタン掛け具１の後方へ向かって幅Ｗが次第に大きくなるように作られる。取っ手部４には、ひも通しのためやボタン掛け具１の軽量化のために適宜の数の透孔２１を設けることができる。ボタン掛け具１が携帯用のものである場合において、好ましい取っ手部４は幅Ｗの最大値が２０〜４０ｍｍの範囲にあり、第１案内孔７の後端から取っ手部４の後端までの水平線Ｃ−Ｃ上における長さｑが３０〜８０ｍｍの範囲にある。また、図１の状態にある取っ手部４は、上縁部４ａと下縁部４ｂとを有し、これら両縁部４ａ，４ｂは第１案内孔７の直状内縁部７ａ，７ｂに平行する直状外縁部７ｄ、７ｅの延長上にある。湾曲した上縁部４ａは、仮想線で示される曲率半径Ｒ１＝１２０ｍｍの線よりも上方にあり、湾曲した下縁部４ｂは、仮想線で示される曲率半径Ｒ２＝２００ｍｍの線よりも上方にあることが好ましい。
【００１０】
図３に部分破断図で示されたズボン１０は、ボタン掛け具１が使用されるものであって、内側フライ１０Ａに１個の大きな第１ボタン１１と複数個の小さな第２ボタン１２とを有し、それぞれのボタン１１，１２に対応するように、外側フライ１０Ｂには１つの大きな第１ボタンホール１３と複数の小さな第２ボタンホール１４とが形成されている。こうしたズボン１０が厚手のデニムやジーンズ等の堅い生地でできていると、第１、２ボタン１１，１２を第１、２ホール１３，１４に掛けることが必ずしも容易ではない。
【００１１】
図４は、使用状態にあるボタン掛け具１を着用状態にあるズボン１０の一部分とともに示す図であり、ズボン１０は、ボタン隠し２５の一部分が破断して示されている。図において、第１ボタン１１はボタン掛け具１を使用して既に第１ボタンホール１３に通され、頭部１１Ａがボタンホール１３の外に出ている。ボタン隠し２５によって覆われている第２ボタンホール１４に第２ボタン１２を掛けるときには、次のようにする。まず、ボタン掛け具１の取っ手部４を片手に持って矢印Ｓ方向へ、即ちボタン保持部３をズボン１０の下方から上方に向けて外側フライ１０Ｂとボタン隠し２５との間から第２ボタンホール１４に通す。続けて、第２ボタンの頭部１２Ａを第１、２案内孔７，８のいずれかに通して、第２ボタン１２のシャンク１２Ｂを第２案内孔８の弧状内縁部８ｃに内側から当てる。さらに続けて、第２ボタン１２の頭部１２Ａが矢印Ｔ方向、即ちズボン１０着用者の身体から離れる方向へ動き、取っ手部４が矢印Ｔとは反対の矢印Ｐ方向へ、即ち身体に近づくようにボタン掛け具１を回転させると、頭部１２Ａが外側フライ１０Ｂの外へ引き出される。このようにすると、さほどの力を使うこともなく、極めて容易に第２ボタン１２を第２ボタンホール１４に掛けることができる。第１ボタン１１を第１ボタンホール１３に掛けるときにも同様にすればよい。ただし、第１ボタン１１のシャンク１１Ｂの径が第２案内孔８の幅Ｂよりも大きいときには、シャンク１１Ｂをボタン掛け具１の中間部分９においてボタン保持部３に当ててその掛け具１を図４の場合と同様に回転させる。
【００１２】
ボタン掛け具１は、このように下方から上方に向けて第１ボタンホール１３や第２ボタンホール１４に通すときに、ボタン保持部３に対して斜めに交差する方向へ延びる取っ手部４が外側フライ１０Ｂの縁から外へ出るので、ボタン保持部と取っ手部とが直状に延びていて取っ手部がボタン隠し２５の下に隠れ易い従来のボタン掛け具に比べて持ち易く、しかも操作し易い。特にこのボタン掛け具１は、図示例のように第２ボタンホール１４がボタン隠し２５によって覆われている場合に、ボタン保持部３を第２ボタンホール１４に通すと、取っ手部４が自ずとそのボタン隠し２５の外へ出て隠れることがないから扱い易く、ボタン掛け作業が極めて容易になる。また、取っ手部４は、湾曲し、好ましくは後方へ向かって幅Ｗが次第に大きくなるから、そのような意味においても持ち易く、ボタン掛け作業が迅速になる。このボタン掛け具１は、大小２種類のボタンを一つのボタン掛け具で処理することができるので、ズボン１０の製造現場では、ボタンの大きさに合わせて掛け具を選択するという必要がない。
【００１３】
図５は、この発明の実施態様の一例を示す図１と同様な図面である。図示の掛け具１では、案内孔６が第１案内孔７と、第２案内孔８と、これら両案内孔７，８間に介在する第３案内孔１６とで形成されている。第３案内孔１６は、第１，２案内孔７，８につながり、幅Ｄが第１案内孔７の幅Ａよりも小さく、第２案内孔８の幅Ｂよりも大きくなるように作られている。かかるボタン掛け具１であれば、図１のそれに比べて大きさの異なる多くの種類のボタンに対して使用することができる。第１、２案内孔７，８の間には、第３案内孔１６の他にさらに案内孔を追加することもできる。
【００１４】
【発明の効果】
この発明に係るボタン掛け具は、直状に延びるボタン保持部に対して取っ手部が斜めに交差するように延びているから、着用したズボンのボタンホールがボタン隠しで覆われている場合でも、ボタンを掛けることが容易である。また、取っ手部が湾曲し、後方へ向かって次第に幅が広くなる態様では、ボタン掛け具が持ち易くなって、ボタン掛け作業が迅速になる。
【図面の簡単な説明】
【図１】ボタン掛け具の平面図。
【図２】図１のＩＩ−ＩＩ線断面図。
【図３】ズボンの部分斜視図。
【図４】使用状態にあるボタン掛け具の斜視図。
【図５】ボタン掛け具の一例を示す図１と同様な図面。
【符号の説明】
１      ボタン掛け具
３      取っ手部
４      保持部
６      案内孔
７      第１案内孔
８      第２案内孔
１６    案内孔（第３案内孔）